【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
端板の一側面に立設された渦巻状の壁体を有する固定スクロールと、
端板の一側面に立設された渦巻状の壁体を有し、前記各壁体どうしを噛み合わせて自転を阻止されつつ公転旋回運動可能に支持された旋回スクロールと、
両前記スクロールによって圧縮された流体が吐出される吐出ポートと、
を備え、
両前記スクロールのいずれか一方の端板には、前記一側面に、高さが壁体の渦に沿ってその中心部側で高く外終端側で低くなるよう形成された端板側段差部が設けられ、
両前記スクロールの他方の壁体には、前記端板側段差部に対応し、高さが渦の中心部側で低く外終端側で高くなるように形成された壁体側段差部が設けられたスクロール圧縮機において、
前記固定スクロールの中心を挟んで正対する一対の圧縮室のうち、圧力が高い方の前記圧縮室が、圧力が低い方の前記圧縮室よりも先に前記吐出ポートに連通することを特徴とするスクロール圧縮機。
【請求項２】
端板の一側面に立設された渦巻状の壁体を有する固定スクロールと、
端板の一側面に立設された渦巻状の壁体を有し、前記各壁体どうしを噛み合わせて自転を阻止されつつ公転旋回運動可能に支持された旋回スクロールと、
両前記スクロールによって圧縮された流体が吐出される吐出ポートと、
を備え、
両前記スクロールのそれぞれの端板には、前記一側面に、高さが壁体の渦に沿ってその中心部側で高く外終端側で低くなるよう形成された端板側段差部が設けられ、
両前記スクロールのそれぞれの壁体には、前記端板側段差部に対応し、高さが渦の中心部側で低く外終端側で高くなるように形成された壁体側段差部が設けられ、
一方の前記スクロールの前記端板側段差部と他方の前記スクロールの前記端板側段差部の高さが異なるスクロール圧縮機において、
前記固定スクロールの中心を挟んで正対する一対の圧縮室のうち、圧力が高い方の前記圧縮室が、圧力が低い方の前記圧縮室よりも先に前記吐出ポートに連通することを特徴とするスクロール圧縮機。
【請求項３】
端板の一側面に立設された渦巻状の壁体を有する固定スクロールと、
端板の一側面に立設された渦巻状の壁体を有し、前記各壁体どうしを噛み合わせて自転を阻止されつつ公転旋回運動可能に支持された旋回スクロールと、
両前記スクロールによって圧縮された流体が吐出される吐出ポートと、
前記固定スクロールの中心を挟んで正対する一対の圧縮室のそれぞれに設けられ、前記吐出ポートから流体が吐出するよりも先に、所定圧力以上の流体を吐出する抽出ポートと、
を備え、
両前記スクロールのいずれか一方の端板には、前記一側面に、高さが壁体の渦に沿ってその中心部側で高く外終端側で低くなるよう形成された端板側段差部が設けられ、
両前記スクロールの他方の壁体には、前記端板側段差部に対応し、高さが渦の中心部側で低く外終端側で高くなるように形成された壁体側段差部が設けられたスクロール圧縮機において、
前記固定スクロールの中心を挟んで正対する一対の圧縮室のうち、圧力が高い方の前記圧縮室が、圧力が低い方の前記圧縮室よりも先に前記抽出ポートに連通することを特徴とするスクロール圧縮機。
【請求項４】
端板の一側面に立設された渦巻状の壁体を有する固定スクロールと、
端板の一側面に立設された渦巻状の壁体を有し、前記各壁体どうしを噛み合わせて自転を阻止されつつ公転旋回運動可能に支持された旋回スクロールと、
両前記スクロールによって圧縮された流体が吐出される吐出ポートと、
前記固定スクロールの中心を挟んで正対する一対の圧縮室のそれぞれに設けられ、前記吐出ポートから流体が吐出するよりも先に、所定圧力以上の流体を吐出する抽出ポートと、
を備え、
両前記スクロールのそれぞれの端板には、前記一側面に、高さが壁体の渦に沿ってその中心部側で高く外終端側で低くなるよう形成された端板側段差部が設けられ、
両前記スクロールのそれぞれの壁体には、前記端板側段差部に対応し、高さが渦の中心部側で低く外終端側で高くなるように形成された壁体側段差部が設けられ、
一方の前記スクロールの前記端板側段差部と他方の前記スクロールの前記端板側段差部の高さが異なるスクロール圧縮機において、
前記固定スクロールの中心を挟んで正対する一対の圧縮室のうち、圧力が高い方の前記圧縮室が、圧力が低い方の前記圧縮室よりも先に前記抽出ポートに連通することを特徴とするスクロール圧縮機。
【手続補正２】
【補正対象書類名】明細書
【補正対象項目名】００１２
【補正方法】変更
【補正の内容】
【００１２】
また、本発明にかかるスクロール圧縮機は、端板の一側面に立設された渦巻状の壁体を有する固定スクロールと、端板の一側面に立設された渦巻状の壁体を有し、前記各壁体どうしを噛み合わせて自転を阻止されつつ公転旋回運動可能に支持された旋回スクロールと、両前記スクロールによって圧縮された流体が吐出される吐出ポートとを備え、両前記スクロールのそれぞれの端板には、前記一側面に、高さが壁体の渦に沿ってその中心部側で高く外終端側で低くなるよう形成された端板側段差部が設けられ、両前記スクロールのそれぞれの壁体には、前記端板側段差部に対応し、高さが渦の中心部側で低く外終端側で高くなるように形成された壁体側段差部が設けられ、一方の前記スクロールの前記端板側段差部と他方の前記スクロールの前記端板側段差部の高さが異なるスクロール圧縮機において、前記固定スクロールの中心を挟んで正対する一対の圧縮室のうち、圧力が高い方の前記圧縮室が、圧力が低い方の前記圧縮室よりも先に前記吐出ポートに連通することを特徴とする。
【手続補正３】
【補正対象書類名】明細書
【補正対象項目名】００１４
【補正方法】変更
【補正の内容】
【００１４】
また、本発明にかかるスクロール圧縮機は、端板の一側面に立設された渦巻状の壁体を有する固定スクロールと、端板の一側面に立設された渦巻状の壁体を有し、前記各壁体どうしを噛み合わせて自転を阻止されつつ公転旋回運動可能に支持された旋回スクロールと、両前記スクロールによって圧縮された流体が吐出される吐出ポートと、前記固定スクロールの中心を挟んで正対する一対の圧縮室のそれぞれに設けられ、前記吐出ポートから流体が吐出するよりも先に、所定圧力以上の流体を吐出する抽出ポートとを備え、両前記スクロールのいずれか一方の端板には、前記一側面に、高さが壁体の渦に沿ってその中心部側で高く外終端側で低くなるよう形成された端板側段差部が設けられ、両前記スクロールの他方の壁体には、前記端板側段差部に対応し、高さが渦の中心部側で低く外終端側で高くなるように形成された壁体側段差部が設けられたスクロール圧縮機において、前記固定スクロールの中心を挟んで正対する一対の圧縮室のうち、圧力が高い方の前記圧縮室が、圧力が低い方の前記圧縮室よりも先に前記抽出ポートに連通することを特徴とする。
【手続補正４】
【補正対象書類名】明細書
【補正対象項目名】００１６
【補正方法】変更
【補正の内容】
【００１６】
また、本発明にかかるスクロール圧縮機は、端板の一側面に立設された渦巻状の壁体を有する固定スクロールと、端板の一側面に立設された渦巻状の壁体を有し、前記各壁体どうしを噛み合わせて自転を阻止されつつ公転旋回運動可能に支持された旋回スクロールと、両前記スクロールによって圧縮された流体が吐出される吐出ポートと、前記固定スクロールの中心を挟んで正対する一対の圧縮室のそれぞれに設けられ、前記吐出ポートから流体が吐出するよりも先に、所定圧力以上の流体を吐出する抽出ポートとを備え、両前記スクロールのそれぞれの端板には、前記一側面に、高さが壁体の渦に沿ってその中心部側で高く外終端側で低くなるよう形成された端板側段差部が設けられ、両前記スクロールのそれぞれの壁体には、前記端板側段差部に対応し、高さが渦の中心部側で低く外終端側で高くなるように形成された壁体側段差部が設けられ、一方の前記スクロールの前記端板側段差部と他方の前記スクロールの前記端板側段差部の高さが異なるスクロール圧縮機において、前記固定スクロールの中心を挟んで正対する一対の圧縮室のうち、圧力が高い方の前記圧縮室が、圧力が低い方の前記圧縮室よりも先に前記抽出ポートに連通することを特徴とする。